(57)【要約】      （修正有）【課題】小型化が図られ、複雑でなく、２つのレンズ保持枠の光軸を調整できるレンズ装置を提供する。【解決手段】複数のレンズからなるレンズ系を有するレンズ鏡筒と、レンズ系の第１及び第２の可動レンズ群１０，１１をそれぞれ保持する第１及び第２のレンズ保持枠２１，６１と、２つのレンズ保持枠２１，６１を共通に貫通して移動可能に支持するメインガイド軸３１と、メインガイド軸３１と協働して２つのレンズ保持枠２１，６１をそれぞれ支持する２つのサブガイド軸と、レンズ鏡筒に回動可能に支持されると共にメインガイド軸３１の一端を、その回動中心から偏心した位置で回動可能に支持する偏心回動部材と、を設け、偏心回動部材を回動させることにより、メインガイド軸３１の他端を支点として一端を円運動させて２つのレンズ保持枠２１，６１の姿勢を同時に変移可能とした。【選択図】図１４
2007279152.tif 000002
【特許請求の範囲】
【請求項１】
複数のレンズを有するレンズ系を保持するレンズ鏡筒と、
前記レンズ系の第１の可動レンズを保持する第１のレンズ保持枠と、
前記レンズ系の第２の可動レンズを保持する第２のレンズ保持枠と、
前記第１の可動レンズの光軸方向と前記第２の可動レンズの光軸方向を略一致させるようにして前記第１のレンズ保持枠と前記第２のレンズ保持枠を共通に貫通すると共に前記光軸方向へ移動可能に支持する第１のガイド軸と、
前記第１のレンズ保持枠及び前記第２のレンズ保持枠を前記第１のガイド軸と協働して支持することにより当該第１のレンズ保持枠及び第２のレンズ保持枠の前記移動時における姿勢を一定に維持する第２のガイド軸と、
前記レンズ鏡筒に回動可能に支持されると共に前記第１のガイド軸の一端を、その回動中心から偏心した位置で回動可能に支持する偏心回動部材と、を設け、
前記偏心回動部材を回動させることにより、前記第１のガイド軸の他端を支点として前記一端を円運動させて前記第１のレンズ保持枠と前記第２のレンズ保持枠の姿勢を同時に変移可能としたことを特徴とするレンズ装置。
【請求項２】
前記第１の可動レンズはズームを調整するズームレンズであり、前記第２の可動レンズはフォーカスを調整するフォーカスレンズであることを特徴とする請求項１記載のレンズ装置。
【請求項３】
前記偏心回動部材は、前記レンズ鏡筒に回動可能に支持されると共に前記第１のガイド軸の一端を支持する回動軸部と、前記回動軸部に連続して設けられると共に外力が加えられることにより当該回動軸部を回動させる操作部と、前記回動軸部と前記操作部の間に設けられると共に接着剤が塗布されることにより前記回動軸部を前記レンズ鏡筒に固定する接着剤塗布部と、を有することを特徴とする請求項１記載のレンズ装置。
【請求項４】
複数のレンズを有するレンズ系を保持するレンズ鏡筒と、
前記レンズ系の第１の可動レンズを保持する第１のレンズ保持枠と、
前記レンズ系の第２の可動レンズを保持する第２のレンズ保持枠と、
前記第１の可動レンズの光軸方向と前記第２の可動レンズの光軸方向を略一致させるようにして前記第１のレンズ保持枠と前記第２のレンズ保持枠を共通に貫通すると共に前記光軸方向へ移動可能に支持する第１のガイド軸と、
前記第１のレンズ保持枠及び前記第２のレンズ保持枠を前記第１のガイド軸と協働して支持することにより当該第１のレンズ保持枠及び第２のレンズ保持枠の前記移動時における姿勢を一定に維持する第２のガイド軸と、
前記レンズ鏡筒に回動可能に支持されると共に前記第１のガイド軸の一端を、その回動中心から偏心した位置で回動可能に支持する偏心回動部材と、
前記レンズ系の対物レンズと反対側に配置された撮像素子と、を設け、
前記偏心回動部材を回動させることにより、前記第１のガイド軸の他端を支点として前記一端を円運動させて前記第１のレンズ保持枠と前記第２のレンズ保持枠の姿勢を同時に変移可能としたことを特徴とするレンズ装置。
【請求項５】
前記第１のガイド軸は、前記第１のレンズ保持枠側に設定される前記一端を前記レンズ系の対物レンズ側に配置すると共に前記第２のレンズ保持枠側に設定される前記他端を前記撮像素子側に配置し、前記一端に装着される前記偏心回動部材の回動により円運動される前記第１の可動レンズの変移量を前記第２の可動レンズの変移量よりも大きくしたことを特徴とする請求項４記載のレンズ装置。
【請求項６】
複数のレンズからなるレンズ系を保持するレンズ鏡筒と、前記レンズ系の第１の可動レンズを保持する第１のレンズ保持枠と、前記レンズ系の第２の可動レンズを保持する第２のレンズ保持枠が設けられたレンズ装置を備えた撮像装置であって、
前記レンズ装置は、
前記第１の可動レンズの光軸方向と前記第２の可動レンズの光軸方向を略一致させるようにして前記第１のレンズ保持枠と前記第２のレンズ保持枠を共通に貫通すると共に前記光軸方向へ移動可能に支持する第１のガイド軸と、
前記第１のレンズ保持枠及び前記第２のレンズ保持枠を前記第１のガイド軸と協働して支持することにより当該第１のレンズ保持枠及び第２のレンズ保持枠の前記移動時における姿勢を一定に維持する第２のガイド軸と、
前記レンズ鏡筒に回動可能に支持されると共に前記第１のガイド軸の一端を、その回動中心から偏心した位置で回動可能に支持する偏心回動部材と、を有し、
前記偏心回動部材を回動させることにより、前記第１のガイド軸の他端を支点として前記一端を円運動させて前記第１のレンズ保持枠と前記第２のレンズ保持枠の姿勢を同時に変移可能としたことを特徴とする撮像装置。
【請求項７】
レンズ鏡筒に保持されたレンズ系の複数の可動レンズを保持する複数のレンズ保持枠を複数のガイド軸によって前記レンズ系の光軸方向へ移動可能に支持し、前記複数のレンズ保持枠を共通に貫通する第１のガイド軸を、その他端を支点として一端を円運動させることにより、前記複数のレンズ保持枠の姿勢を同時に変移させて前記複数の可動レンズ間の光軸を前記レンズ系の光軸と略一致させるように調整可能としたことを特徴とするレンズ装置の光軸調整方法。
【発明の詳細な説明】
【技術分野】
【０００１】
本発明は、レンズ鏡筒に支持されたレンズ系の可動レンズをそれぞれ保持する複数のレンズ保持枠を複数のガイド軸によってレンズ系の光軸方向へ移動可能に支持し、一のガイド軸を回動することにより複数のレンズ保持枠を移動させて複数の可動レンズの光軸を、レンズ系の光軸に略一致させるように調整可能としたレンズ装置、そのレンズ装置を備えた撮像装置及び、そのレンズ装置の光軸調整方法に関する。
【背景技術】
【０００２】
デジタルスチルカメラ等の撮像装置の一般的なレンズ装置として、ズーム動作を行うためのズームレンズがレンズ鏡筒内で光軸方向へ移動可能に設けられたものがある。このようなレンズ装置は、ズームレンズを保持するレンズ保持枠と、このレンズ保持枠を光軸方向へ案内するガイド軸とを備えており、ガイド軸の両端はレンズ鏡筒に固定されている。そして、被写体からの光がズームレンズを含むレンズ系を透過して撮像素子の撮像面に導かれ、被写体の像が結像されることで撮像がなされる。
【０００３】
このようなレンズ装置において、レンズ保持枠やレンズ鏡筒の寸法誤差、レンズ保持枠に対するズームレンズの取り付け精度のばらつき等によって、ズームレンズの光軸がレンズ鏡筒に固定された固定レンズの光軸に対して傾きを生じる場合がある。このような光軸の傾きは、撮像素子の撮像面に結像される被写体の像の一部分に焦点ぼけ、いわゆる片ボケを生じる原因となっている。このような焦点ぼけを解消するための対策として、レンズの傾きを調整してレンズ系の光軸に一致させる調整機構を有するレンズ装置が提案されている。
【０００４】
従来の、この種のレンズ装置としては、例えば、特許文献１に記載されているようなものがある。特許文献１には、ズームレンズの調整方法、ズームレンズ及び撮像装置に関するものが記載されている。この特許文献１に記載されたズームレンズは、「固定群と移動群とを有し移動群の光軸方向への移動によって焦点距離の変化及び焦点調節が行われるズームレンズであって、固定群の光軸に対する傾きの調整は、結像面内の４箇所以上の測定点における結像状態を測定し、これら各測定点についてそれぞれ結像状態が最良となるデフォーカス座標を特定し、前記特定されたデフォーカス座標のうちの３点によって決定される４つ以上の平面を規定し、前記固定群の光軸に対する傾きを調整することにより前記４つ以上の平面を一致させる場合における該固定群の傾き量を算出し、算出された前記固定群の傾き量を目標点として調整されている」ことを特徴としている。
【０００５】
このような構成を有する特許文献１に記載のズームレンズによれば、「組み立て後において、調整用部品の交換等の手間を要さずに、容易に、かつ、レンズ中心の位置を光軸方向に変位させずに、レンズの傾きの調整をおこなうことができる（段落［０１０４］を参照）」等の効果が期待される。
【特許文献１】特開２００３−４３３２８号公報
【０００６】
しかしながら、特許文献１に記載されたズームレンズにおいては、レンズを保持するレンズ枠と、このレンズ枠を支持する鏡筒部材と、レンズ枠と鏡筒部材の間に介在されるリング状の板バネと、レンズ枠に螺入されると共に先端側が鏡筒部材に当接される複数の調節ねじとを備え、複数の調節ねじの締込み量をそれぞれ調節することにより板バネを撓ませてレンズ枠の傾きを調整していた。そのため、レンズ枠の傾きを調整するための調整機構が複雑で大きなものになることから、レンズ装置の小型化を図ることが難しかった。また、複数の調節ねじの締込み量をそれぞれ調節することでレンズ枠の傾きを調整するため、調整作業が面倒であるという問題があった。
【発明の開示】
【発明が解決しようとする課題】
【０００７】
解決しようとする問題点は、レンズ枠と鏡筒部材の間に板バネを介在させ、複数の調節ねじの締込み量によりレンズ枠の傾きを調整すると、レンズ枠の傾きを調整するための調整機構が複雑で大きなものになるため、レンズ装置の小型化を図ることが難しい、という点である。また、複数の調節ねじの締込み量をそれぞれ調節することでレンズ枠の傾きを調整するため、調整作業が面倒である、という点である。
【課題を解決するための手段】
【０００８】
本発明のレンズ装置は、複数のレンズを有するレンズ系を保持するレンズ鏡筒と、レンズ系の第１の可動レンズを保持する第１のレンズ保持枠と、レンズ系の第２の可動レンズを保持する第２のレンズ保持枠と、第１の可動レンズの光軸方向と第２の可動レンズの光軸方向を略一致させるようにして第１のレンズ保持枠と第２のレンズ保持枠を共通に貫通すると共に光軸方向へ移動可能に支持する第１のガイド軸と、第１のレンズ保持枠及び第２のレンズ保持枠を第１のガイド軸と協働して支持することによりそれら第１のレンズ保持枠及び第２のレンズ保持枠の移動時における姿勢を一定に維持する第２のガイド軸と、レンズ鏡筒に回動可能に支持されると共に第１のガイド軸の一端を、その回動中心から偏心した位置で回動可能に支持する偏心回動部材と、を設け、偏心回動部材を回動させることにより、第１のガイド軸の他端を支点として一端を円運動させて第１のレンズ保持枠と第２のレンズ保持枠の姿勢を同時に変移可能としたことを最も主要な特徴とする。
【０００９】
本発明の撮像装置は、複数のレンズからなるレンズ系を保持するレンズ鏡筒と、レンズ系の第１の可動レンズを保持する第１のレンズ保持枠と、レンズ系の第２の可動レンズを保持する第２のレンズ保持枠が設けられたレンズ装置を備えた撮像装置であって、レンズ装置は、第１の可動レンズの光軸方向と第２の可動レンズの光軸方向を略一致させるようにして第１のレンズ保持枠と第２のレンズ保持枠を共通に貫通すると共に光軸方向へ移動可能に支持する第１のガイド軸と、第１のレンズ保持枠及び第２のレンズ保持枠を第１のガイド軸と協働して支持することによりそれら第１のレンズ保持枠及び第２のレンズ保持枠の移動時における姿勢を一定に維持する第２のガイド軸と、レンズ鏡筒に回動可能に支持されると共に第１のガイド軸の一端を、その回動中心から偏心した位置で回動可能に支持する偏心回動部材と、を有し、偏心回動部材を回動させることにより、第１のガイド軸の他端を支点として一端を円運動させて第１のレンズ保持枠と第２のレンズ保持枠の姿勢を同時に変移可能としたことを特徴とする。
【００１０】
また、本発明のレンズ装置の光軸調整方法は、レンズ鏡筒に保持されたレンズ系の複数の可動レンズを保持する複数のレンズ保持枠を複数のガイド軸によってレンズ系の光軸方向へ移動可能に支持し、複数のレンズ保持枠を共通に貫通する第１のガイド軸を、その他端を支点として一端を円運動させることにより、複数のレンズ保持枠の姿勢を同時に変移させて複数の可動レンズ間の光軸をレンズ系の光軸と略一致させるように調整可能としたことを特徴とする。
【発明の効果】
【００１１】
本発明のレンズ装置、撮像装置及びレンズ装置の光軸調整方法によれば、第１のレンズ保持枠と第２のレンズ保持枠とを共に案内する第１のガイド軸を偏心回動部材によって回動させて、第１のレンズ保持枠及び第２のレンズ保持枠の姿勢を同時に変移させることにより、第１の可動レンズ及び第２の可動レンズ間の光軸を極めて容易にレンズ系の光軸に略一致させることができる。更に、第１の可動レンズ及び第２の可動レンズ間の光軸を調整するための調整機構を簡単な構成にしてレンズ装置の小型化を実現することができ、撮像装置の小型化を図ることができる。
【００１２】
しかも、第１のレンズ保持枠と第２のレンズ保持枠を同時に同じ方向へ傾けるように変移させる構成としたことにより、第１のレンズ保持枠及び第２のレンズ保持枠をそれぞれ変移させて第１の可動レンズ及び第２の可動レンズの光軸を個別に調整する場合に比べて光学感度を向上させることができ、小さな調整量で大きな変移量を得ることができる。その結果、部品のクリアランスを縮めることができるため、余分な寸法を確保しておく必要性を無くすことができ、装置全体の小型化に貢献することができる。
【発明を実施するための最良の形態】
【００１３】
第１のレンズ保持枠と第２のレンズ保持枠を共通に貫通する第１のガイド軸を設け、その第１のガイド軸によって２つのレンズ保持枠の姿勢を同時に同じ方向へ変移させる構成としたことにより、小型化を図りながら高精度な光学性能を実現することができるレンズ装置、撮像装置及びレンズ装置の光軸調整方法を簡単な構成によって実現した。
【００１４】
図１〜図２１は、本発明の実施の形態の例を説明するものである。即ち、図１は本発明のレンズ装置の第１の実施の例を正面側から見た斜視図、図２は正面図、図３は平面図、図４は縦断面図、図５は分解斜視図、図６はレンズ装置の一部を破断した説明図、図７は第１のレンズ保持枠と第２のレンズ保持枠の斜視図、図８は軸受調整部材の装着状態を示す斜視図、図９は軸受調整部材を上方から見た斜視図、図１０は同じく下方から見た斜視図、図１１（Ａ）〜（Ｃ）は軸受調整部材の平面図、縦断面図及び底面図、図１２（Ａ）〜（Ｄ）は軸受調整部材の種類を示す説明図である。
【００１５】
図１３は光軸の調整を説明する第１の説明図、図１４は同じく第２の説明図、図１５はレンズ系の説明図である。図１６は光軸調整の第２の実施例を説明する説明図、図１７は本発明の撮像装置の第１の実施の例を示すデジタルスチルカメラの分解斜視図、図１８はデジタルスチルカメラを正面側から見た斜視図、図１９はレンズカバーを移動させて対物レンズを露出した斜視図、図２０は背面図、図２１は平面図である。
【００１６】
図１〜図１２に示すように、本発明のレンズ装置の第１の実施の形態を示すレンズ装置１は、同一の光軸Ｌ０上に複数のレンズを配置した５組のレンズ群を有するレンズ系２と、このレンズ系２のレンズを固定し又は移動可能に支持するレンズ鏡筒３と、レンズ系２の光軸Ｌ０上に配置されると共にレンズ鏡筒３に固定された撮像素子の一具体例を示すＣＣＤ４等を備えて構成されている。
【００１７】
レンズ装置１のレンズ系２は、図１５に示すように、５組のレンズ群を同一光軸Ｌ０上に配置した折り曲げ式レンズとして構成されている。これら５組のレンズ群は、光軸Ｌ０上の先端側に配置された第１の固定レンズ群７と、光軸Ｌ０上の中途部に配置された第２の固定レンズ群８と、光軸Ｌ０上の後端側に配置された第３の固定レンズ群９と、第１固定レンズ群７と第２固定レンズ群８との間に配置された第１の可動レンズ群１０と、第２固定レンズ群８と第３固定レンズ群９との間に配置された第２の可動レンズ群１１とから構成されている。
【００１８】
第１の固定レンズ群７は、被写体に対向される対物レンズである第１のレンズ７Ａと、この第１のレンズ７Ａの被写体と反対側に配置されたプリズム７Ｂと、このプリズム７Ｂに対向される第２のレンズ７Ｃとによって構成されている。プリズム７Ｂは、断面形状が直角二等辺三角形をなす三角柱体からなり、９０度回転変位した位置に隣り合う２つの面の一方に対物レンズ７Ａが対向され、他方の面に第２のレンズ７Ｃが対向されている。
【００１９】
この第１の固定レンズ群７では、第１のレンズ７Ａを透過して一面からプリズム７Ｂに入射した光が、光軸Ｌ０に対して４５度に傾斜した反射面で反射されて進行方向が９０度折り曲げられ、他面から出射されて第２のレンズ７Ｃを透過して、光軸Ｌ０に沿って第１の可動レンズ群１０に向かって進行する。第１の可動レンズ群１０は、第３のレンズ１０Ａと第４のレンズ１０Ｂとの組み合わせからなり、光軸Ｌ０が延在される方向に移動可能に構成されている。第１の可動レンズ群１０を透過した光は、第２の固定レンズ群８に入射される。
【００２０】
第２の固定レンズ群８は、レンズ鏡筒３に固定される第５のレンズからなっている。この第２の固定レンズ群８と第２の可動レンズ群１１の間には、レンズ系２を通過する光の量を調整可能な絞り機構１２が配置されている。第２の可動レンズ群１１は、第６のレンズからなり、光軸Ｌ０が延在される方向に移動可能に構成されている。第３の固定レンズ群９は、第７のレンズ９Ａと第８のレンズ９Ｂとの組み合わせからなり、レンズ鏡筒３に固定されている。そして、第３の固定レンズ群９の第８のレンズ９Ｂの後方にＣＣＤ４が配置されている。ＣＣＤ４はＣＣＤ用アダプタに固定されており、このＣＣＤ用アダプタを介してレンズ鏡筒３に取り付けられている。このＣＣＤ４と第８のレンズ９Ｂの間には、光学フィルタ１３が配置されている。
【００２１】
第１の可動レンズ群１０と第２の可動レンズ群１１は、それぞれ別個独立に光軸Ｌ０に沿って光軸方向へ移動可能とされている。これら第１の可動レンズ群１０と第２の可動レンズ群１１を所定方向へ移動させることにより、ズーム調整とフォーカス調整を行うことができる。即ち、ズーム時には、第１の可動レンズ群１０と第２の可動レンズ群１１をワイド（広角）からテレ（望遠）まで移動することによってズーム調整が実行される。また、フォーカス時には、第２の可動レンズ群１１をワイド（広角）からテレ（望遠）まで移動することによってフォーカス調整を実行することができる。
【００２２】
このような構成を有するレンズ系２を保持するレンズ鏡筒３は、図１〜図１２に示すように上下方向に重ね合わされて組立結合される上部鏡筒１４と中間鏡筒１５と下部鏡筒１６とから構成されている。図５等に示すように、上部鏡筒１４は、正面の上部に開口された開口窓１７と、下面に開口された開口部を有する筐体からなる。開口窓１７には１群レンズ７の対物レンズ７Ａが装着され、その前面に装着される化粧板１８により、対物レンズ７Ａが上部鏡筒１４に取り付けられている。上部鏡筒１４の内部には、対物レンズ７Ａの背面に遮光板１９を介して配置されたプリズム７Ｂと、このプリズム７Ｂの下面に配置された第２のレンズ７Ｃが固定されている。
【００２３】
また、上部鏡筒１４の内部には、第１の可動レンズ群１０を保持すると共に、レンズ鏡筒３の上下方向へ移動可能な第１のレンズ保持枠２１が設けられている。図４及び図７等に示すように、第１のレンズ保持枠２１は、第１の可動レンズ群１０が嵌合されるレンズ固定部２２と、このレンズ固定部２２の一側に連続して略垂直に延在されるメイン軸受部２３等から構成されている。
【００２４】
レンズ固定部２２は、外形が略長方形をなす枠体からなり、その開口部に第１の可動レンズ群１０が嵌合されている。このレンズ固定部２２の一方の短辺の角部には、側方に開口された軸受部の一具体例を示すサブ軸受溝２４が設けられている。このサブ軸受溝２４には、図４に示すように、第２のガイド軸としての上側サブガイド軸３２が摺動可能に係合される。上側サブガイド軸３２は、第１の可動レンズ群１０の光軸と平行に延在されていて、一端（上端）が上部鏡筒１４に保持され、他端（下端）が中間鏡筒１５に保持されている。
【００２５】
第１のレンズ保持枠２１のメイン軸受部２３は、レンズ固定部２２のサブ軸受溝２４と反対側の短辺に連続して上方向に延在される垂直片２６と、この垂直片２６の上下方向の両端にそれぞれ連続して水平方向に展開される一対の展開片２７ａ，２７ｂ等から構成されている。メイン軸受部２３の一対の展開片２７ａ，２７ｂには、それらの平面部を上下方向に同軸上に貫通する軸受孔２８が設けられており、この軸受孔２８に第１のガイド軸の一具体例を示すメインガイド軸３１が貫通される。
【００２６】
メインガイド軸３１は、レンズ鏡筒３の上下方向に延在されており、一端（下端）が下部鏡筒１６にその軸心を中心として回動可能に支持され、他端（上端）が上部鏡筒１４の上面に装着される偏心回動部材８１に嵌合されている。このメインガイド軸３１と上側サブガイド軸３２により、第１のレンズ保持枠２１がレンズ鏡筒３の上下方向に所定範囲内で案内される。また、メインガイド軸３１は、後述する第２のレンズ保持枠６１を案内するガイド軸でもあり、２つのレンズ保持枠２１，６１の共通のガイド軸となっている。
【００２７】
第１のレンズ保持枠２１は、上部鏡筒１４に取り付けられたズーム駆動機構４１により、メインガイド軸３１と上側サブガイド軸３２に案内されてレンズ鏡筒３の上下方向に所定範囲内で進退移動可能に構成されている。ズーム駆動機構４１は、ズーム用モータ４２と、このズーム用モータ４２の回転軸として設けられた送りねじ軸４３と、この送りねじ軸４３に係合される送りナット４４等を備えて構成されている。
【００２８】
ズーム用モータ４２は、コ字状に形成された第１のブラケット４５に固定されており、その一端に突出した送りねじ軸４３の両端部が第１のブラケット４５によって回動自在に両端支持されている。第１のブラケット４５は、図５等に示すように、固着手段の一具体例を示す複数本（本実施例では２本）の固定ねじ４７ａによって上部鏡筒１４に取り付けられている。この第１のブラケット４５の取付状態において、送りねじ軸４３には送りナット４４が摺動可能に係合されている。送りナット４４は、そのねじ溝が延在する方向への移動を規制した状態で第１のレンズ保持枠２１に保持されている。
【００２９】
かくして、ズーム用モータ４２を駆動すると、送りねじ軸４３の回転力が送りナット４４を介して第１のレンズ保持枠２１に伝達される。このとき、所定位置で回転駆動される送りねじ軸４３に対して、その軸方向へ送りナット４４が相対的に移動することになる。その結果、送りナット４４と一体的に第１のレンズ保持枠２１が移動することになり、これにより、ズーム用モータ４２の回転方向に応じて第１の可動レンズ群１０が、第１の固定レンズ群７に近づく方向と第２の固定レンズ群８に近づく方向とに選択的に移動される。
【００３０】
図５に示すように、中間鏡筒１５は、上下面に開口された略長方形の枠体からなり、その２つの開口部が上部鏡筒１４の下面と下部鏡筒１６の上面にそれぞれ対向されている。このようにして重ね合わされた３つの鏡筒が、これらを上下方向に貫通する複数本（本実施例では３本）の固定ねじ４７ｂにより締付固定され、一体的に組み立てられてレンズ鏡筒３が構成されている。
【００３１】
中間鏡筒１５には、第２の固定レンズ群８が固定保持され、その第２の固定レンズ群８の下方に絞り機構１２が配置されている。この絞り機構１２は、開口面積を調整自在とされた羽根部材５１と、この羽根部材５１を移動可能に支持する羽根押え板５２と、羽根部材５１を開閉動作させるステップモータ５３等によって構成されている。ステップモータ５３は、モータベース５４を介して中間鏡筒１５の上面側部に固定されている。
【００３２】
下部鏡筒１６は、上面と下面とに開口された筐体からなり、下面にＣＣＤ用アダプタ５６を介してＣＣＤ４が取り付けられている。ＣＣＤ用アダプタ５６は、中央部に四角形の開口穴が設けられた板体からなり、その一面に、四角形の枠状に形成されたシールゴム５７を介してＣＣＤ４が接着剤等の固着手段によって一体的に固着されている。ＣＣＤ用アダプタ５６の他方の面には、光学フィルタ１３が重ね合わされた遮光板５８が配置されており、これらがフィルタ押え板５９で押えられて固定されている。そして、光学フィルタ１３を内側に配置した状態で、ＣＣＤ用アダプタ５６が固定ねじ等の固着手段によって下部鏡筒１６に取り付けられている。
【００３３】
下部鏡筒１６の内部には、図４等に示すように、第３の固定レンズ群９が固定されており、その上方に第２の可動レンズ群１１を保持すると共にレンズ鏡筒３の上下方向へ移動可能な第２のレンズ保持枠６１が設けられている。図７等に示すように、第２のレンズ保持枠６１は、第２の可動レンズ群１１が嵌合されるレンズ固定部６２と、このレンズ固定部６２の一側に連続して略垂直に延在されるメイン軸受部６３等から構成されている。
【００３４】
レンズ固定部６２は、外形が略長方形をなす枠体からなり、その開口部に第２の可動レンズ群１１が嵌合されている。このレンズ固定部６２の一方の短辺の角部には、側方に開口された軸受部の第２の具体例を示すサブ軸受溝６４が設けられている。このサブ軸受溝６４には、図４に示すように、第２のガイド軸としての下側サブガイド軸３３が摺動可能に係合される。下側サブガイド軸３３は、第１の可動レンズ群１０の光軸と平行に延在されていて、一端が中間鏡筒１５に保持され、他端が下部鏡筒１６に保持されている。
【００３５】
本実施例では、第２のガイド軸として上側サブガイド軸３２と、下側サブガイド軸３３を設け、第１のレンズ保持枠２１と第２のレンズ保持枠６１をそれぞれ案内する構成としたが、本発明に係る第２のガイド軸としては、第１のガイド軸であるメインガイド軸３１と同様に１本の第２のガイド軸を設け、第１のレンズ保持枠２１と第２のレンズ保持枠６１を共に案内する構成とすることができることは勿論である。
【００３６】
第２のレンズ保持枠６１のメイン軸受部６３は、レンズ固定部６２のサブ軸受溝６４と反対側の短辺に連続して下方向に延在される垂直片６６と、この垂直片６６の上下方向の両端にそれぞれ連続して水平方向に展開される一対の展開片６７ａ，６７ｂ等から構成されている。メイン軸受部６３の一対の展開片６７ａ，６７ｂには、それらの平面部を上下方向に同軸上に貫通する図に表れない軸受孔が設けられており、この軸受孔にメインガイド軸３１が貫通される。
【００３７】
この第２のレンズ保持枠６１は、下部鏡筒１６に取り付けられたフォーカス駆動機構７１により、メインガイド軸３１と下側サブガイド軸３３に案内されてレンズ鏡筒３の上下方向に所定範囲内で進退移動可能に構成されている。フォーカス駆動機構７１は、フォーカス用モータ７２と、このフォーカス用モータ７２の回転軸として設けられた送りねじ軸７３と、この送りねじ軸７３に係合される送りナット７４等を備えて構成されている。
【００３８】
フォーカス用モータ７２は、コ字状に形成された第２のブラケット７５に固定されており、その一端に突出した送りねじ軸７３の両端部が第２のブラケット７５によって回動自在に両端支持されている。第２のブラケット７５は、固着手段である複数本（本実施例では２本）の固定ねじ４７ｃによって下部鏡筒１６に取り付けられている。この第２のブラケッ７５の取付状態において、送りねじ軸７３には送りナット７４が摺動可能に係合されている。送りナット７４は、そのねじ溝が延在する方向への移動を規制した状態で第２のレンズ保持枠６１に保持されている。
【００３９】
かくして、フォーカス用モータ７２を駆動すると、送りねじ軸７３の回転力が送りナット７４を介して第２のレンズ保持枠６１に伝達される。このとき、所定位置で回転駆動される送りねじ軸７３に対して、その軸方向へ送りナット７４が相対的に移動することになる。その結果、送りナット７４と一体的に第２のレンズ保持枠６１が移動することになり、これにより、フォーカス用モータ７２の回転方向に応じて第２の可動レンズ群１１が、第２の固定レンズ群８に近づく方向と第３の固定レンズ群９に近づく方向とに選択的に移動される。
【００４０】
この第２のレンズ保持枠６１と第１のレンズ保持枠２１との移動を案内するメインガイド軸３１の上端は、偏心回動部材８１に嵌合されている。偏心回動部材８１は、その軸心を中心としてメインガイド軸３１の上端を円運動させ、メインガイド軸３１を、下部鏡筒１６に支持される下端を支点に回動させるための部材である。この偏心回動部材８１でメインガイド軸３１を回動させることにより、メインガイド軸３１に移動可能に支持された第１のレンズ保持枠２１及び第２のレンズ保持枠６１の姿勢を同時に変移させることができ、第１及び第２の可動レンズ群１０，１１の光軸を第１〜第３の固定レンズ群７〜９の光軸に一致させるように調整することができる。
【００４１】
図１及び図８等に示すように、偏心回動部材８１は、上部鏡筒１４の上面に設けられた回動部材装着孔３５に着脱自在に装着され、これにより、メインガイド軸３１の上端に嵌合するようになっている。偏心回動部材８１が装着される回動部材装着孔３５の周囲には、偏心回動部材８１の後述する鍔部８３を載置するための載置部３６が設けられており、この載置部３６の周囲に突出部３７が設けられている。
【００４２】
突出部３７は、載置部３６の周囲を囲うように略リング状に形成されていて、内側に傾斜面３８を有している。突出部３７の傾斜面３８は、周方向に等間隔をおいて設けられると共に回動部材装着孔３５に向かって順次小さくなるように傾斜した複数の傾斜平面３８ａと、それら傾斜平面３８ａの間に設けられると共に突出部３７の半径方向に湾曲する複数の傾斜湾曲面３８ｂとを有している。そして、各傾斜湾曲面３８ｂには、偏心回動部材８１と突出部３７との間に接着剤を塗布するための接着剤用凹部３９が設けられている。
【００４３】
図９〜図１１に示すように、偏心回動部材８１は、回動部材装着孔３５に係合される略円柱状の回動軸部８２と、回動軸部８２に連続して半径方向の外側に突出する鍔部８３と、鍔部８３の上面に連続すると共に複数の角部を有して多角形状をなす接着剤塗布部８４と、接着剤塗布部８４の上面に連続した操作部８５等から構成されている。
【００４４】
偏心回動部材８１の回動軸部８２の外周面には、鍔部８３と反対側の下端に至るに伴って曲率半径が次第に小さくなるようなテーパー面８２ａが形成されている。このテーパー面８２ａを設けたことにより、回動軸部８２を上部鏡筒１４の回動部材装着孔３５に容易に挿入させて係合させることができる。更に、回動軸部８２の下面には、メインガイド軸３１の上端が嵌合される軸受孔８６が設けられている。
【００４５】
回動軸部８２の軸受孔８６は、メインガイド軸３１に見合った大きさに設定されており、メインガイド軸３１が嵌合された際に、軸受孔８６の中心Ｃ１とメインガイド軸３１の軸心Ｃ２が一致するようになっている。この軸受孔８６は、図１０及び図１１に示すように、その中心Ｃ１が回動軸部８２の軸心Ｃ０に対して所定量Ｅだけ偏心するように設けられている。そのため、軸受孔８６に係合されるメインガイド軸３１の軸心Ｃ２は、回動軸部８２の軸心Ｃ０、即ち偏心回動部材８１の軸心に対して所定量Ｅだけ偏心される。これにより、偏心回動部材８１を回動部材装着孔３５内で回転させると、メインガイド軸３１が偏心回動部材８１の軸心Ｃ０を中心に回動するようになっている。
【００４６】
偏心回動部材８１の鍔部８３は、偏心回動部材８１を回動部材装着孔３５に装着した際に、回動部材装着孔３５の周縁の載置部３６に当接する部分であり、この鍔部８３によって偏心回動部材８１の回動部材装着孔３５への挿入を係止している。また、操作部８５は、平面形状が細長の小判型をなしており、長径の一方の側面に偏心回動部材８１の回転角度を視認するための指標突部８５ａが設けられている。
【００４７】
更に、操作部８５の上面には、略小判型に形成された操作用溝８７が設けられている。この操作用溝８７には、例えば、マイナスドライバ等の工具が挿入され、その工具を回転させることにより偏心回動部材８１が上部鏡筒１４の回動部材装着孔３５内で回転される。操作用溝８７は、接着剤塗布部８４及び鍔部８３を貫通して回動軸部８２の軸受孔８６に連続されていて、その軸受孔８６に対応した部分にピン挿入用凹部８８が設けられている。このピン挿入用凹部８８には、偏心回動部材８１を回動部材装着孔３５から取り外す際に、メインガイド軸３１の上端を押えるためのピンが挿入される。
【００４８】
偏心回動部材８１としては、図１２（Ａ）に示すように、回動軸部８２の軸心Ｃ０に軸受孔８６の中心Ｃ１を一致させた基準の偏心回動部材８１ａと、図１２（Ｂ）〜図１２（Ｄ）に示すように、回動軸部８２の軸心Ｃ０に対して軸受孔８６の中心Ｃ１を所定量だけ偏心させた複数種類の偏心回動部材８１、例えば、偏心回動部材８１ｂ〜８１ｄを用意する。基準の偏心回動部材８１ａは、メインガイド軸３１を傾けずに第１〜第３の固定レンズ群７〜９の光軸と略平行にした状態において、その第１〜第３の固定レンズ群７〜９の光軸に第１及び第２の可動レンズ群１０，１１の光軸が一致するかどうか確認するために使用する。そして、第１及び第２の可動レンズ群１０，１１の光軸と第１〜第３の固定レンズ群７〜９の光軸とが一致しない場合には、偏心回動部材８１ｂ〜８１ｄの中から、そのズレ量に対応した偏心量のものを選択して使用する。
【００４９】
図１２（Ｂ）に示す偏心回動部材８１ｂは、回動軸部８２の軸心Ｃ０に対する軸受孔８６の中心Ｃ１の偏心量がＥ１となっており、同様に、図１２（Ｃ）に示す偏心回動部材８１ｃの偏心量がＥ２、図１２（Ｄ）に示す偏心回動部材８１ｄの偏心量がＥ３となっている。そして、これら偏心量の関係は、Ｅ１＞Ｅ２＞Ｅ３となっている。本実施の例では、偏心量の異なる複数種類の偏心回動部材８１として、３種類の偏心回動部材８１ｂ〜８１ｄを設ける構成としたが、本発明に係る偏心量の異なる複数種類の偏心回動部材としては、２種類であってもよく、また、４種類以上であってもよいことは勿論である。
【００５０】
このような構成を有するレンズ装置１によれば、例えば、次のようにして第１の可動レンズ群１０と第２の可動レンズ群１１の光軸を第１〜第３の固定レンズ群の光軸、即ち、レンズ系２の光軸Ｌ０に一致するように調整することができる。第１の可動レンズ群１０を保持する第１のレンズ保持枠２１と第２の可動レンズ群１１を保持する第２のレンズ保持枠６１には、それぞれ許容範囲内での加工誤差が生じる共に、第１のレンズ保持枠２１と第１の可動レンズ群１０との組み立てや、第２のレンズ保持枠６１と第２の可動レンズ群１１との組み立てにも許容範囲内での組立誤差が生じてしまう。また、上部鏡筒１４、中間鏡筒１５及び下部鏡筒１６にも許容範囲内での加工誤差が生じると共に、それらを組み立ててレンズ鏡筒３を構成する際にも許容範囲内での組立誤差が生じてしまう。
【００５１】
そのため、図１３に示すように、第１及び第２の可動レンズ群１０，１１の光軸Ｌ１が、レンズ系２の光軸Ｌ０に対して許容値を越えて傾斜してしまう場合がある。このように、第１及び第２の可動レンズ群１０，１１の光軸Ｌ１が、レンズ系２の光軸Ｌ０に対して許容値を越えて傾斜すると、ＣＣＤ４の撮像面に結像される被写体の像の一部分に焦点ぼけ、いわゆる片ボケが生じて光学性能を低下させてしまう。この片ボケを解消するためには、第１及び第２の可動レンズ群１０，１１の光軸Ｌ１をレンズ系２の光軸Ｌ０に一致させるように調整する必要がある。
【００５２】
第１及び第２の可動レンズ群１０，１１の光軸Ｌ１をレンズ系２の光軸Ｌ０に一致させるように調整するには、まず、基準の偏心回動部材８１ａを回動部材装着孔３５に挿入し、偏心回動部材８１ａの軸受孔８６にメインガイド軸３１を係合させる。このとき、メインガイド軸３１の軸心Ｃ２が偏心回動部材８１ａ軸心Ｃ０に一致し、予め光軸調整された固定レンズ群７〜９の光軸であるレンズ系２の光軸Ｌ０に平行となる。
【００５３】
次に、対物レンズ７Ａの前方に公知の調整用のチャートを配置してこのチャートの画像をレンズ系２（図１５を参照）によってＣＣＤ４の撮像面上に結像させる。そして、ＣＣＤ４から出力される撮像信号に基づいてチャートの画像を解析し、ＣＣＤ４に結像されたチャートの画像の片ボケを測定する。このような片ボケを測定する評価値としては、ＭＴＦデフォーカスカーブを挙げることができるが、この種の測定に用いられる各種の評価値を採用することができることは勿論である。
【００５４】
次に、評価値に基づいて、光軸Ｌ０に対する第１の可動レンズ群１０の傾斜角度と第２の可動レンズ群１１の傾斜角度をそれぞれ算出し、その算出結果から両可動レンズ群１０，１１に対して最適な光軸Ｌ１（以下、可動レンズ群光軸Ｌ１と言う）を導き出す。そして、可動レンズ群光軸Ｌ１の光軸Ｌ０に対する傾斜角度ｅを算出する。これにより、可動レンズ群光軸Ｌ１を光軸Ｌ０に一致させるためには、メインガイド軸３１を傾斜角度ｅと反対の向きに同じ角度だけ傾斜させればよいことが判る。
【００５５】
可動レンズ群光軸Ｌ１は、第１の可動レンズ群１０と第２の可動レンズ群１１が共にテレ端（望遠端）に位置する場合を基準に決定されている。これは、両可動レンズ群１０，１１が共にテレ端（望遠端）に位置した状態において、光軸Ｌ０に対する各レンズ可動レンズ群１０，１１の傾きが、片ボケに大きく影響を与えるためである。なお、各可動レンズ群１０，１１がそれぞれワイド端（広角端）に位置した状態では、各可動レンズ群１０，１１の傾きが片ボケに与える影響は極めて小さくなる。これにより、本実施例では、各可動レンズ群１０，１１がそれぞれテレ端に位置した場合を基準に光軸調整を行っている。
【００５６】
次に、基準の偏心回動部材８１ａを回動部材装着孔３５から取り外す。このとき、ピン挿通用凹部８８に工具の一具体例を示すピンを挿入し、そのピンでメインガイド軸３１の上端を押さえることにより、回動部材装着孔３５から基準の偏心回動部材８１ａのみを簡単に取り外すことができる。
【００５７】
続いて、回動部材装着孔３５に可動レンズ群光軸Ｌ１の傾斜角度ｅに対応した偏心量の偏心回動部材８１を挿入し、偏心回動部材８１の軸受孔８６にメインガイド軸３１を係合させる。そして、偏心回動部材８１の操作用溝８７に工具の一具体例を示すマイナスドライバを挿入し、偏心回動部材８１を回転させる。このとき、偏心回動部材８１の軸心Ｃ０に対して軸受孔８６の中心Ｃ１が偏心しているため、軸受孔８６に係合したメインガイド軸３１は、下端を支点として偏心回動部材８１の軸心Ｃ０を中心に回動され、メインガイド軸３１の軸心Ｃ２が偏心回動部材８１の軸心Ｃ０に対して角度ｅだけ傾斜される。かくして、偏心回動部材８１の指標突部８５ａを視認しながら偏心回動部材８１の回転量を調整することで、図１４に示すように、可動レンズ群光軸Ｌ１を光軸Ｌ０に一致させることができる。これにより、可動レンズ群光軸Ｌ１の調整作業が終了する。
【００５８】
その後、上部鏡筒１４の突出部３７に設けた各接着剤用凹部３９に図示しない接着剤塗布装置のノズル部を挿入して偏心回動部材８１の接着剤塗布部８４と突出部３７の間に紫外線硬化型接着剤を充填する。そして、紫外線硬化型接着剤紫外線を照射して硬化させ、偏心回動部材８１を上部鏡筒１４に固定する。これにより、レンズ装置１の組立作業が完了する。このとき、偏心回動部材８１の接着剤塗布部８４が紫外線硬化型接着剤中に埋設されるため、偏心回動部材８１が回動部材装着孔３５内で回転することを確実に防止することができる。
【００５９】
このような構成を有するレンズ装置１によれば、第１のレンズ保持枠２１と第２のレンズ保持枠６１とを共に案内するメインガイド軸３１を偏心回動部材８１によって回動させて傾斜させることにより、第１の可動レンズ１０と第２の可動レンズ１１から導き出した可動レンズ群光軸Ｌ１をレンズ系２の光軸Ｌ０に一致させることができ、撮像素子の撮像面に結像される被写体の像の一部分に発生する片ボケを容易に解消することができる。
【００６０】
しかも、偏心回動部材８１でメインガイド軸３１を回動させるだけで、第１の可動レンズ１０と第２の可動レンズ１１の光軸Ｌ１の傾きを極めて簡単に調整することができると共に、複雑で大きな調整機構を必要としため、装置の小型化を実現することができる。更に、第１の可動レンズ１０と第２の可動レンズ１１を同時に同じ方向へ傾けるように調整し、光軸Ｌ０に可動レンズ群光軸Ｌ１を一致させる構成としたため、光学感度を向上させることができ、調整量を小さくすることができる。その結果、メインガイド軸３１を回動させるためのクリアランスを小さくすることができ、更なる装置の小型化に貢献することができる。
【００６１】
また、第１の可動レンズ１０と第２の可動レンズ１１に対して最適な光軸である可動レンズ群光軸Ｌ１を導き出し、両可動レンズ１０，１１を同じ方向に傾けることで可動レンズ群光軸Ｌ１を光軸Ｌ０に一致させるようにしたため、第１の可動レンズ群１０と第２の可動レンズ群１１の両レンズ群の光軸を同時に調整することができ、高精度な光学性能を発揮させることができる。
【００６２】
更に、本発明のレンズ装置では、メインガイド軸３１を、ＣＣＤ４に近接された第２に可動レンズ群１１に近い下端を支点として、第１の可動レンズ群１０に近い上端を回動させ、第２の可動レンズ群１１の変移量よりも第１の可動レンズ群１０の変移量が大きくなるようにした。これにより、基準となるレンズ系２の光軸Ｌ０に対する可動レンズ群光軸Ｌ１の姿勢変化の影響が大きい第１の可動レンズ群１０を大きく変移させ、同時にその姿勢変化による影響が小さい第２の可動レンズ群１１を小さく変移させることができる。そのため、メインガイド軸３１による１度の光軸調整によって２つの可動レンズ群１０，１１の光軸をそれぞれ適当な量だけ調整することができ、この種の光軸調整を簡単且つ迅速に行うことができる。
【００６３】
本実施例では、レンズ装置１を、プリズム７Ｂにより光軸を折り曲げるようにした折り曲げ式レンズとして説明したが、本発明に係るレンズ装置としては、全てのレンズ群が同一軸心線上に配置された、いわゆる直動式レンズとすることができることは勿論である。
【００６４】
なお、この実施例では、メインガイド軸３１の一端（上端）に偏心回動部材８１を嵌合させて可動レンズ群光軸Ｌ１を調整するようにしているが、これに限定されるものではなく、偏心回動部材８１を使用しないで光軸調整を行うこともできるものである。図１６は、この偏心回動部材８１を使用しないで光軸調整を行う場合の説明図である。図１６において、符号９１は、メインガイド軸３１の上端を保持して傾き角を調整可能な調整冶具である。この調整冶具９１の周辺には、接着剤注入器のノズル９２と、そのノズル９２から吐出された紫外線硬化型樹脂接着剤９３に紫外線を照射させて硬化させる紫外線ランプ９４が配置されている。
【００６５】
偏心回動部材８１を使用しないで光軸調整を行うには、まず、レンズ鏡筒３を図示しない固定台に固定し、調整冶具９１でメインガイド軸３１の上端を把持する。次に、調整冶具９１を所定量移動させてメインガイド軸３１の傾きを調整し、可動レンズ群光軸Ｌ１をレンズ系の光軸Ｌ０に一致又は略一致させ、その状態を維持する。次に、ノズル９２をメインガイド軸３１が貫通する上部鏡筒１４の貫通穴１４ａに接近させて、メインガイド軸３１と貫通穴１４ａとの間に紫外線硬化型樹脂接着剤９３を塗布する。続いて、塗布した紫外線硬化型樹脂接着剤９３に紫外線ランプ９４で紫外線を照射し、紫外線硬化型樹脂接着剤９３を硬化させる。これにより、メインガイド軸３１が上部鏡筒１４に固定される。
【００６６】
その後、メインガイド軸３１の一端から調整冶具９１を取り外すことにより、光軸調整を完了することができる。これにより、メインガイド軸３１の外周面が貫通穴１４ａの内摺面から離れていて、貫通穴１４ａとメインガイド軸３１との間に周方向の全周に亘って隙間が生じている場合であっても、メインガイド軸３１を所望の位置で固定することができ、偏心回動部材８１を使用した第１の実施例と同様の効果を得ることができる。
【００６７】
図１７〜図２１は、前述したような構成を有するレンズ装置１を備えた撮像装置の第１の実施の例を示すデジタルスチルカメラ１００を現した図である。このデジタルスチルカメラ１００は、情報記録媒体として半導体記録メディアを使用し、被写体からの光学的な画像をＣＣＤ（固体撮像素子）で電気的な信号に変換して、半導体記録メディアに記録したり、液晶ディスプレイ等の表示装置に表示できるようにしたものである。
【００６８】
このデジタルスチルカメラ１００は、図１７等に示すように、カメラ本体１０１と、被写体の像を光として取り込んで撮像手段としてのＣＣＤ４に導くレンズ装置１と、ＣＣＤ４から出力される映像信号に基づいて画像を表示する液晶ディスプレイ等からなる表示装置１０２と、レンズ装置１の動作や液晶ディスプレイ１０２の表示等を制御する制御装置１０３と、図示しないバッテリー電源等を備えて構成されている。
【００６９】
カメラ本体１０１は、横長とされた偏平の筐体からなり、前後方向に重ね合わされたフロントケース１０５及びリアケース１０６と、このフロントケース１０５とリアケース１０６とで形成された空間部を前後に仕切るメインフレーム１０７と、フロントケース１０５の前面に上下方向へスライド可能に取り付けられたレンズカバー１０８等によって構成されている。メインフレーム１０７の前面の一側部には、ＣＣＤ４を下にして光軸Ｌを上下方向に向けた状態でレンズ装置１が固定されている。更に、メインフレーム１０７には、配線基板上に所定のマイクロコンピュータ、抵抗やコンデンサその他の電子部品等を搭載することによって形成された制御装置１０３と、フラッシュ装置１１０等が取り付けられている。
【００７０】
制御装置１０３はレンズ装置１と横並びに配置されており、これらの上方にフラッシュ装置１１０が配置されている。フラッシュ装置１１０は、フロントケース１０５の前面に露出される発光部１１０ａと、その発光部１１０ａを駆動制御する駆動部１１０ｂと、駆動部１１０ｂに所定の電力を供給するコンデンサ１１０ｃ等を備えて構成されている。このフラッシュ装置１１０の発光部１１０ａとレンズ装置１の対物レンズ７Ａを露出させるため、フロントケース１０５の対応する位置にはレンズ嵌合穴１１１ａとフラッシュ嵌合穴１１１ｂとが設けられている。そして、レンズ嵌合穴１１１ａには化粧板１８と共に対物レンズ７Ａが嵌合され、フラッシュ嵌合穴１１１ｂには発光部１１０ａが嵌合されている。
【００７１】
更に、フロントケース１０５には、レンズカバー１０８に設けた複数の脚片が挿通される複数の開口穴１１１ｃが設けられている。レンズカバー１０８は、複数の脚片に抜け止め部を設けることによってフロントケース１０５からの脱落が防止されている。このレンズカバー１０８は、複数の開口穴１１１ｃによって上下方向への移動が可能とされていると共に、図示しないロック手段により上端部と下端部においてロック可能とされている。図１８に示すように、レンズカバー１０８が上端部にあるときには、対物レンズ７Ａが完全に閉じられ、これにより対物レンズ７Ａの保護が図られる。一方、図１９に示すように、レンズカバー１０８を下端部に移動すると、対物レンズ７Ａが完全に開かれると共に電源スイッチがオンに入力され、これにより撮影が可能となるように構成されている。
【００７２】
図１７及び図２０に示すように、リアケース１０６には、表示装置１０２の表示面を露出させるための四角形の開口窓１１２が設けられている。開口窓１１２は、リアケース１０６の背面を大きく開口して設けられており、その内側に表示装置１０２が配置されている。表示装置１０２は、開口窓１１２に対応した大きさを有する液晶ディスプレイと、この液晶ディスプレイの内面に重ね合わされるバックライトの組み合わせからなる。表示装置１０２の液晶ディスプレイ側にはシール枠１１３を介して保護板１１４が配置されており、この保護板１１４の周縁部が開口窓１１２の内面に接触されている。
【００７３】
更に、リアケース１０６には、各種の操作スイッチが設けられている。操作スイッチとしては、機能モード（静止画、動画、再生等）を選択するモード選択ツマミ１１５、ズーム操作を実行するズームボタン１１６、画面表示を行う画面表示ボタン１１７、各種メニューを選択するメニューボタン１１８、メニューを選択するカーソル等を移動させる方向キー１１９、画面サイズを切り換えたり画面削除を行う画面ボタン１２１等が適当な位置に配置されている。そして、リアケース１０６の表示装置１０２側の端部にはスピーカ用孔１２２が開口されていて、その内側にスピーカが内蔵されており、これと反対側の端部にはストラップ用の支持金具１２３が取り付けられている。
【００７４】
また、図２１等に示すように、カメラ本体１０１の上面には、電源をオン・オフさせる電源ボタン１２５、撮影の開始や停止を実行する撮影ボタン１２６、手ぶれが生じたときに像ぶれ補正装置５を動作させて像ぶれ補正を実行する手ぶれ設定ボタン１２７等が設けられている。更に、カメラ本体１０１上面の略中央部にはマイクロホン用孔１２８が開口されていて、その内側にマイクロホンが内蔵されている。
【００７５】
これら電源ボタン１２５と撮影ボタン１２６と手ぶれ設定ボタン１２７は、カメラ本体１０１に装着されるスイッチホルダ１２４に取り付けられている。更に、マイクロホン用孔１２８もスイッチホルダ１２４に開口されており、このスイッチホルダ１２４に内蔵マイクロホンが固定されている。そして、スイッチホルダ１２４は、その一部をフロントケース１０５とリアケース１０６とで挟み込むようにしてカメラ本体１０１に保持されている。
【００７６】
このような構成を有するデジタルスチルカメラ１００に本願発明のレンズ装置を適用することにより、第１の可動レンズ群１０と第２の可動レンズ群１１の可動レンズ群光軸Ｌ１を第１〜第３の固定レンズ群７〜９の光軸、即ちレンズ系２の光軸Ｌ０に一致させて光学性能を向上させることができると共に、レンズ装置１を小型化することができ、カメラ本体の小型化に貢献することができる。
【００７７】
本発明は、前述しかつ図面に示した実施の形態に限定されるものではなく、その要旨を逸脱しない範囲内で種々の変形実施が可能である。例えば、前記実施例においては、撮像装置としてデジタルスチルカメラを適用した例について説明したが、デジタルビデオカメラ、カメラ付きパーソナルコンピュータ、カメラ付き携帯電話その他の撮像装置にも適用できるものである。
【図面の簡単な説明】
【００７８】
【図１】本発明のレンズ装置の第１の実施の例を正面側から見た斜視図である。
【図２】図１に示すレンズ装置の正面図である。
【図３】図１に示すレンズ装置の平面図である。
【図４】図１に示すレンズ装置の縦断面図である。
【図５】図１に示すレンズ装置の分解斜視図である。
【図６】図１に示すレンズ装置の一部を破断した説明図である。
【図７】図１に示すレンズ装置の第１のレンズ保持枠と第２のレンズ保持枠の斜視図である。
【図８】図１に示すレンズ装置のレンズ鏡筒に軸受調整部材を装着した状態の斜視図である。
【図９】図８に示す軸受調整部材を上方から見た斜視図である。
【図１０】図８に示す軸受調整部材を下方から見た斜視図である。
【図１１】図１１Ａは軸受け部材の平面図、図１１Ｂは軸受け部材の縦断面図、図１１Ｃは軸受け部材の底面図である。
【図１２】図１２Ａ〜Ｄは軸受調整部材の種類を説明するものであり、図１２Ａは基準の軸受調整部材の説明図、図１２Ｂ〜図１２Ｄはガイド軸を傾けるための軸受調整部材の説明図である。
【図１３】図１に示すレンズ装置に係る光軸の調整を説明するための第１の説明図である。
【図１４】図１に示すレンズ装置に係る光軸の調整を説明するための第２の説明図である。
【図１５】図１に示すレンズ装置のレンズ系を説明するための説明図である。
【図１６】図１に示すレンズ装置の光軸調整の第２の実施例を説明するための説明図である。
【図１７】本発明の撮像装置の第１の実施の例を示すもので、デジタルスチルカメラに適用した分解斜視図である。
【図１８】本発明の撮像装置の第１の実施の例に係るデジタルスチルカメラを正面側から見たもので、レンズカバーで対物レンズを閉じた状態の斜視図である。
【図１９】本発明の撮像装置の第１の実施の例に係るデジタルスチルカメラを正面側から見たもので、レンズカバーを開いて対物レンズを露出させた状態の斜視図である。
【図２０】図１８に示すデジタルスチルカメラの背面図である。
【図２１】図１８に示すデジタルスチルカメラの平面図である。
【符号の説明】
【００７９】
１…レンズ装置、  ２…レンズ系、  ３…レンズ鏡筒、  ４…ＣＣＤ（撮像素子）、  ５７…第１の固定レンズ群、  ７Ａ…第１のレンズ（対物レンズ）、  ７Ｂ…プリズム、  ７Ｃ…第２のレンズ、  ８…第２の固定レンズ群、  ９…第３の固定レンズ群、  １０…第１の可動レンズ群、  １１…第２の可動レンズ群、  １４…上部鏡筒、  １５…中間鏡筒、  １６…下部鏡筒、  ２１…第１のレンズ保持枠、  ３１…メインガイド軸（第１のガイド軸）、  ３２…上側サブガイド軸（第２のガイド軸）、  ３３…下側サブガイド軸（第２のガイド軸）、  ３５…回動部材装着孔、  ４１…ズーム駆動機構、  ６１…第２のレンズ保持枠、  ７１…フォーカス駆動機構、  ８１…偏心回動部材、  ８２…回動軸部、  ８３…鍔部、  ８４…接着剤塗布部、  ８５…操作部、  １００…デジタルスチルカメラ（撮像装置）
【図１】
2007279152.tif 000003
【図２】
2007279152.tif 000004
【図３】
2007279152.tif 000005
【図４】
2007279152.tif 000006
【図５】
2007279152.tif 000007
【図６】
2007279152.tif 000008
【図７】
2007279152.tif 000009
【図８】
2007279152.tif 000010
【図９】
2007279152.tif 000011
【図１０】
2007279152.tif 000012
【図１１】
2007279152.tif 000013
【図１２】
2007279152.tif 000014
【図１３】
2007279152.tif 000015
【図１４】
2007279152.tif 000016
【図１５】
2007279152.tif 000017
【図１６】
2007279152.tif 000018
【図１７】
2007279152.tif 000019
【図１８】
2007279152.tif 000020
【図１９】
2007279152.tif 000021
【図２０】
2007279152.tif 000022
【図２１】
2007279152.tif 000023